(57)【要約】【課題】デザイン性を損なうことなしに庇パネル６の先端が風に煽られるのを確実に防止する。【解決手段】基枠材４から平行に突設された複数の縦枠材５と、基枠材４と縦枠材５の内側に配置された庇パネル６と、縦枠材５の先端部近傍間に設けられて庇パネル６を下から支持する補強材７とを備えた庇体２を吊り材３によって上吊り支持した上吊り式庇であって、上記補強材７の一部には煽り止め３８を取り付け、該煽り止め３８には、上記庇パネル６の先端が上方に動くのを規制する規制部４２を形成した。【選択図】図３
2009197523.tif 000002
【特許請求の範囲】
【請求項１】
基枠材から平行に突設された複数の縦枠材と、基枠材と縦枠材の内側に配置された庇パネルと、縦枠材の先端部近傍間に設けられて庇パネルを下から支持する補強材とを備えた庇体を吊り材によって上吊り支持した上吊り式庇であって、上記補強材の一部には煽り止めを取り付け、該煽り止めには、上記庇パネルの先端が上方に動くのを規制する規制部を形成したことを特徴とする上吊り式庇。
【請求項２】
上記煽り止めは、上記補強材に固定される取付部と、取付部から上記庇パネルの先端まで延びる延出部と、延出部の先端から延びて庇パネルの先端上面に当接する規制部とから構成されていることを特徴とする、請求項１に記載の上吊り式庇。
【請求項３】
上記補強材には、上記煽り止めの取付部を嵌合する嵌合溝が形成されていることを特徴とする、請求項１又は２に記載の上吊り式庇。
【請求項４】
上記延出部は上記縦枠材の先端と同じ角度に形成されていることを特徴とする、１〜３のいずれかに記載の上吊り式庇。
【請求項５】
上記庇パネルの先端と上記延出部との間には隙間を設けたことを特徴とする、１〜４のいずれかに記載の上吊り式庇。
【発明の詳細な説明】
【技術分野】
【０００１】
本発明は、壁躯体、柱、スパンドレル等の上部から張り出す庇体を吊り材で支持した上吊り式庇の改良に関する。
【背景技術】
【０００２】
一般に、建物の壁躯体から庇を張り出したり、建物の周囲に柱やスパンドレル等を配設し、その上部から庇体を張り出すことが行われているが、最近は、庇パネルとして透光性のパネルを採用して庇の下が暗くならないようにするものが注目されている。例えば、パネルの四周を枠組みした庇体を吊り材によって壁躯体に支持させたもの（特許文献１参照）や、壁躯体に沿う基枠材から平行に左右の縦枠材を張り出し、基枠材と縦枠材の内側にパネルを取り付けた庇体を吊り材によって壁躯体に支持させたもの（特許文献２参照）が知られている。
【特許文献１】特開２００６−３４８６７２
【特許文献２】特開２００５−３１４９２４
【発明の開示】
【発明が解決しようとする課題】
【０００３】
しかしながら、特許文献１に示されるように、ガラスパネルや合成樹脂パネルの全周を枠で囲っているものは、明るさが損なわれるという問題がある。また、特許文献２の技術は、パネルの先端がシャープに現れるため、デザイン性に優れるほか、十分な明るさも確保できる点において優れるが、パネルが強い風に煽られる可能性がある。
【０００４】
本発明は、上記問題点を解消し、デザイン性を損なうことなしに庇パネルの先端が強い風に煽られるのを確実に防止することができる上吊り式庇を提供することをその課題とする。
【課題を解決するための手段】
【０００５】
上記課題を解決するため、請求項１に係る発明は、基枠材から平行に突設された複数の縦枠材と、基枠材と縦枠材の内側に配置された庇パネルと、縦枠材の先端部近傍間に設けられて庇パネルを下から支持する補強材とを備えた庇体を吊り材によって上吊り支持した上吊り式庇であって、上記補強材の一部には煽り止めを取り付け、該煽り止めには、上記庇パネルの先端が上方に動くのを規制する規制部を形成したことを特徴とする。
【０００６】
請求項２に係る発明は、請求項１において、上記煽り止めは、上記補強材に固定される取付部と、取付部から上記庇パネルの先端まで延びる延出部と、延出部の先端から延びて庇パネルの先端上面に当接する規制部とから構成されていることを特徴とする。
【０００７】
請求項３に係る発明は、請求項１又は２において、上記補強材には、上記煽り止めの取付部を嵌合する嵌合溝が形成されていることを特徴とする。
【０００８】
請求項４に係る発明は、請求項１〜3のいずれかにおいて、上記延出部は上記縦枠材の先端と同じ角度に形成されていることを特徴とする。
【０００９】
請求項５に係る発明は、請求項１〜４のいずれかにおいて、上記庇パネルの先端と上記延出部との間には隙間を設けたことを特徴とする。
【発明の効果】
【００１０】
請求項1に係る発明によれば、庇パネルの先端には煽り止めが取り付けられているので、庇パネルの先端が強い風に煽られても、煽りは煽り止めの規制部により抑えられ、庇パネルが撓んだり抜けたりすることを確実に防止することができる。また、煽り止めは庇パネルの先端に設けられているにすぎず、しかも煽り止めは縦枠材の先端部近傍間に設けられた補強材に取り付けられているので、目立たないから、庇パネルの先端が全体としてシャープに見えるのを妨げることはない。したがって、上吊り式庇のデザイン性が損なわれることがない。なお、煽り止めの数は庇パネルの強度に応じて増減すればよい。
【００１１】
請求項２に係る発明によれば、煽り止めは、上記補強材に固定される取付部と、取付部から上記庇パネルの先端まで延びる延出部と、延出部の先端から延びて庇パネルの先端上面に当接する規制部とから構成されているから、構造が単純で、取り付けも容易であり、コスト性にも優れる。
【００１２】
請求項３に係る発明によれば、補強材には、煽り止めの取付部を嵌合する嵌合溝が形成されているから、取付部は外部から目立たない。そして、嵌合溝には、取付部が嵌合されていない部分にはカバー材を嵌合すればよいので、補強材の外観は全く損なわれない。
【００１３】
請求項４に係る発明によれば、延出部は上記縦枠材の先端と同じ角度に形成されているから、縦枠材との一体感が高まり、デザイン性もよい。
【００１４】
請求項５に係る発明によれば、庇パネルの先端と上記延出部との間には隙間が設けられているので、このため、庇パネルが合成樹脂製で熱膨張によって伸びても、その伸びは隙間内に納まるので、延出部が影響を受けることはない。
【発明を実施するための最良の形態】
【００１５】
図１は建物に沿って上吊り式庇を設けた実施の形態を示す斜視図であり、図２は上吊り式庇の他の一形態の斜視図である。上図において符号Ａは建物を示す。この外壁に沿って連続するデッキスペースＤが設けられ、さらにデッキスペースＤに沿って上吊り式庇Ｒが配設されている。上吊り式庇Ｒは、一定の間隔をおいて設けられた支柱１の上部に庇体２を配置し、庇体２を吊り材３によって上吊り支持することによって構成されている。
【００１６】
庇体２は、図３に示されるように、基枠材４から平行に突設された縦枠材５と、基枠材４と縦枠材５の内側に配置された庇パネル６と、縦枠材５の先端部近傍間に設けられて庇パネル６を下から支持する補強材７（図３参照）とから構成されている。なお、庇パネル６以外は基本的にはアルミニウムの押出型材から構成されている。
【００１７】
基枠材４は外枠材８と内枠材１０とパネル受け材１１を一体的に結合したもので、外枠材８は垂直部１２と水平部１３とを略Ｌ字形に形成してなり、垂直部１２の上部と水平部１３には中空部１４が形成されている。また、垂直部１２の内側の上端と下端には係合溝１５が形成されている。
【００１８】
内枠材１０は外側の板状起立部１６と内側の中空起立部１７の下端を底板１８を介して連結することにより上方に開口した樋溝２０が形成され、板状起立部１６の上下端には係合片９、９が形成され、中空起立部１７の下端から取付片２１が突出形成されている。そして、内枠材１０を外枠材８の水平部１３上に載置し、上記係合片９、９を係合溝１５、１５に係合させるとともに、内枠材１０の取付片２１と板状起立部１６とを外枠材８にビス止めすることにより一体的に結合されている。
【００１９】
パネル受け材１１は短尺材で、基部１１ａは中空起立部１７の上端に嵌合され、庇パネル６の受け溝２２が内枠材１０の内側に位置するように設けられている。
【００２０】
なお、基枠材４の両端部にはキャップが取り付けられている。
【００２１】
また、縦枠材５は断面がＴ字形に形成され、図４に示されるように、上部肩部２３には押え縁２４がネジ止めされている。中央部２５は中空に形成されている。上部両肩部２３の基部は、中央部よりも突出している。また、中央部２５の先端は図３に示すように斜めに切断され、この傾斜端部にはキャップ１９がビス３６により固定されている。
【００２２】
基枠材４に縦枠材５を取り付けるときは、図３に示されるように、基枠材４の中空起立部１７の外側面に一定の間隔をおいてＬ字形の取付金具２６の一片２６ａを固定しておく。そして、基枠材４の中空起立部１７上に縦枠材５の基部の上部両肩部２３を載置し、縦枠材５の中央部２５に上記取付金具２６の他方の片２６ｂを挿入し、中央部２５の下方からビス２７で固定する。これにより、基枠材４と縦枠材５とが固定される。
【００２３】
次に、左右の縦枠材５、５間には、その中央部と先端部の近傍とに補強材７が配置固定されている。補強材７は、それぞれ上面と下面とを円弧状に形成した上下の中空部３０、３１を連結壁２８で連結するとともに、上部中空部３０の上端にクッション材２９の嵌合溝３２を形成し、前後を円弧状のキャップ３３で塞ぐことによって見掛け上円筒状としたもので、上記連結壁２８は基部側に片寄った位置に設けられ、上下の中空部３０、３１間に横向きの嵌合溝３４が形成されている。嵌合溝３４は図４に示されるように、縦枠材５の側面に当たる部分で切り欠き形成されている。
【００２４】
縦枠材５の補強材取付位置には図５に示す連結金具３５が貫通されている。この連結金具３５の一端３５ａを補強材７の嵌合溝３４に挿入させ、補強材７の連結壁２８と連結金具３５とをビス３６によって固定し、他端３５ｂを縦枠材５の中央部２５に固定している。
【００２５】
次に、庇パネル６はポリカーボネート、アクリル、ガラス等の透光性を有する材料によって構成されている。そして、図４に示すように上記縦枠材５の肩部２３の押え縁２４を外しておき、その肩部２３に庇パネル６を載置してスライドさせ、その基部を基枠材４のパネル受け材１１の受け溝２２（図３参照）に嵌合させる。そして、上記押え縁２４をビス止めして庇パネル６の両側縁を固定する。このとき、庇パネル６の下面は補強材７の上面のクッション材２９に当接する。
【００２６】
複数の基枠材４を長手方向に連結するときは、図６（ａ）（ｂ）に示されるように、一方の外枠材８の上部中空部１４と内枠材１０の中空起立部１７に連結金具３５、３６を固定し、その半分を基枠材４の端部から突出させ、この突出部を連結されるべき外枠材８の上部中空部１４と内枠材１０の中空起立部１７に挿入してビス止め固定すればよい。
【００２７】
次に、図３に示されるように、上記各補強材７の１個所には庇パネル６の先端の煽りを止める煽り止め３８が取り付けられている。なお、煽り止め３８の数は庇パネルの強度に応じて増減すればよい。
【００２８】
煽り止め３８は、図２および図３に示されるように、上記補強材７の嵌合溝３４に嵌合固定される取付部４０と、取付部４０から上記庇パネル６の先端まで延びる延出部４１と、延出部４１の先端から延びて庇パネル６が上方に煽られるのを規制する規制部４２とから構成されている。
【００２９】
上記取付部４０は上記嵌合溝３４に嵌合する形状に形成され、外側面には、嵌合溝３４の開口端に係合する円弧部４３が形成されている。そして、取付部４０は連結壁２８にビス３６によって固定されている。ビス頭はキャップ３３によって覆われる。また、上記嵌合溝３４には、取付部４０が嵌合されていない部分には図５に示すキャップ３３が嵌合固定されているから、補強材７の外観は全く損なわれない。
【００３０】
これにより、庇パネル６の先端部はクッション材２９と煽り止め３８との間に強固に支持される。
【００３１】
さらに、延出部４１は取付部４０の外側面の下部から斜め上に延び、延出部４１は上記縦枠材５の先端と同じ角度に形成されている。このため、縦枠材５との一体感が高まり、デザイン性もよい。
【００３２】
また、規制部４２は、延出部４１の先端から折り返されるように曲げられ、庇パネル６の先端上面に当接している。なお、庇パネル６と規制部４２との間及び縦枠材５の先端とキャップ１９との間にはクッション材を設けるのが好ましい。
【００３３】
なお、庇パネル６の先端と上記延出部４１との間には隙間４５が設けられている。このため、庇パネル６が合成樹脂製で熱膨張によって伸びても、その伸びは隙間４５内に納まるので、延出部４１が影響を受けることはない。
【００３４】
また、図４に示されるように、庇体の端部の縦枠材５の側面には補強材７の端部が取り付けられているが、補強材７の延長上に化粧補強材７ａが配置され、この化粧補強材７ａは中央片７２とその一端両側に張出す張り出し片７３、７４とからなるＴ字形の取付ブラケットを介して固定されている。
【００３５】
次に、上記構成の庇体２の基枠材４は各支柱１の上部に固定ボルト４６、ナット４７によって固定されている。このとき、内枠材１０を外しておき、外枠材８の垂直部１２から固定ボルト４６を挿通して支柱１の内部に配置したナット４７に螺合させ、固定ボルト４６を締め付けて固定する。その後、内枠材１０を上記要領で外枠材８に結合すればよい。さらに、支柱１の側面と基枠材４の背面とをアングル材（図示せず）によって連結して補強すればよい。
【００３６】
次に、上記庇体２は吊り材３によって支柱１に支持されている。すなわち、図７に示されるように、支柱１の上端と庇体２の縦枠材５の上部にはそれぞれ取付金具４４（縦枠材５の取付金具は省略）が固定され、これらの取付金具４４に吊り材３の両端がボルトによって固定されている。
【００３７】
上述のように、庇パネル６の先端には煽り止め３８が取り付けられているので、庇パネル６の先端が強い風に煽られても、煽りは煽り止め３８の規制部４２により抑えられ、庇パネル６が撓んだり抜けたりすることを確実に防止することができる。また、煽り止め３８は庇パネル６の先端の２個所に設けられているにすぎず、しかも煽り止め３８は縦枠材５の先端部近傍間に設けられた補強材７に取り付けられているので、目立たないから、庇パネル６の先端が全体としてシャープに見えるのを妨げることはない。したがって、上吊り式庇のデザイン性が損なわれることがない。
【００３８】
なお、庇パネル６は基枠材４に向けて低く傾斜しているので、庇パネル６に降り注いだ雨水は図７に示されるように、基枠材４の樋溝２０に流れ込み、樋４８を伝って地面に導かれる。上記と位溝２０には通水性のある詰め物５９が配置され、枯葉などが樋溝２０に溜まらないようになっている。基枠材４の両端部に設け設けられた樋溝２０の端面キャップには樋溝２０内に水が溢れ出ないように排水する排水口が形成されている。
【００３９】
また、支柱１のなかには所定の位置からずらして設置せざるを得ない場合がある。ところが、支柱１の位置を変更すると、吊り材３の位置も変えざるを得ない。このような場合には、図８（ａ）（ｂ）のように吊り材３の位置を調整すればよい。すなわち、位置を変更した支柱１の上部にレール部材５０を水平に当接し、ボルト５１、ナット５２とアングル材５３によって固定する。レール部材５０には上下に平行な中空部５４が突設され、上下の中空部５４にはそれぞれ上向き及び下向きに開口したレール溝５５、５６が形成されている。そして、前面に吊り材３の取付金具４７を固定したコ字形の取付板５７によって上下の中空部５４を挟むように配置し、上記レール溝５５、５６に嵌合したボルト５１を取付板５７の上下各片を貫通させ、取付板５７をレール溝５５、５６に沿ってスライドさせ、所定の位置でボルト５１の外側からナット５２で固定すればよい。
【００４０】
これによれば、取付板５７の位置を調整することにより所定の位置に吊り材３を配置することができる。
【００４１】
また、上述のように、建物１のまわりに回廊のように配設されたデッキスペースの外側に沿って庇体２を設けたときは、建物１の壁と庇体２の先端との間に空間が生じ、ここから雨水が入りこむおそれがある。そこで、図９に示されるように、壁躯体５８に沿って水平なストリップ取付部材５９を配置固定し、その上部の中空部６０の内側に取り付けられて庇体２上に張り出す張り出し部材６１の先端にウェザーストリップ６２を嵌合し、ウェザーストリップ６２の先端を庇体２の上面に当接するようにすればよい。なお、ストリップ取付部材５９の下部のボルト嵌合溝６３にボルト６４の頭部を嵌合させ、該ボルト６４とナット６５によって支持金具６６を一定の間隔をおいて固定し、支持金具６６の先端を縦枠材５の下部にビス６７で固定することにより、庇体２を吊り材３と支持金具６６とによって強固に支持するのが好ましい。支持金具６６はＵ字形に折り曲げられた部材で、底部の溝内に縦枠材5の下部を嵌合させて固定すればよい。
【００４２】
なお、庇体２は柱に固定する形態に限定されない。風通し、日当たり等だけでなく、図１０に示されるように、目隠しや採光など現場環境に応じてスパンドレル６８や格子６９、パネル７０等と組み合わせることができる。これにより、デザインの自由度が高く、展開性に富み、意匠性に優れる新しい空間を造ることができる。
【００４３】
また、スパンドレルやパネルを設置する場合は、図１１に示されるように、骨組み７１を組み立てておき、この骨組み７１の周囲にスパンドレルやパネルを止着固定すればよい。
【図面の簡単な説明】
【００４４】
【図１】建物に沿って上吊り式庇を設けた実施の形態を示す斜視図
【図２】吊り式庇の他の一形態の斜視図
【図３】庇体の要部の断面図
【図４】縦枠材の断面図
【図５】補強材と縦枠材との連結態様説明図
【図６】複数の基枠材を長手方向に連結する場合の側面の断面図及び正面図
【図７】庇体の基部における側面の断面図
【図８】（ａ）（ｂ）は支柱の位置を変更した場合の対応を示す要部の平面図及び側面の断面図
【図９】庇体の先端と壁躯体との間の側面の断面図
【図１０】庇体の組み合わせ形態を示す側面図
【図１１】スパンドレルやパネルを張り付けるための骨組みの斜視図
【符号の説明】
【００４５】
２    庇体  
６    庇パネル
４    基枠材
５    縦枠材
７    補強材
３８  煽り止め
４２  規制部
【図１】
2009197523.tif 000003
【図２】
2009197523.tif 000004
【図３】
2009197523.tif 000005
【図４】
2009197523.tif 000006
【図５】
2009197523.tif 000007
【図６】
2009197523.tif 000008
【図７】
2009197523.tif 000009
【図８】
2009197523.tif 000010
【図９】
2009197523.tif 000011
【図１０】
2009197523.tif 000012
【図１１】
2009197523.tif 000013